(57)【特許請求の範囲】
【請求項１】
付室と、前記付室に隣接する隣接室との間に設けられる圧力調整機能を有するダンパー装置であって、
前記付室と前記隣接室との差圧によって開閉する開閉羽根と、
前記開閉羽根に連結された連結部材と、
前記開閉羽根に前記連結部材を介して連結され、前記開閉羽根の開閉のみに連動して開閉駆動される従動羽根と、
を備えることを特徴とする圧力調整機能を有するダンパー装置。
【請求項２】
前記開閉羽根は、前記付室と前記隣接室との差圧による圧力に抗する方向の抵抗力を付与するトルク調整機構を備えていることを特徴とする請求項１に記載の圧力調整機能を有するダンパー装置。
【請求項３】
前記付室内の圧力が予め定めた設定圧力に到達したときに、前記従動羽根が全開状態となるよう、前記トルク調整機構の前記抵抗力が設定されていることを特徴とする請求項２に記載の圧力調整機能を有するダンパー装置。
【請求項４】
前記開閉羽根から延びる第一の連結アームと前記連結部材とが、ピン接続により回動自在に連結されるとともに、
第二の連結アームの両端に前記従動羽根と前記連結部材とがそれぞれピン接続により回動自在に連結され、
前記付室内の圧力が予め定めた設定圧力に到達したときに、前記従動羽根が全開状態となる請求項３に記載の圧力調整機能を有するダンパー装置。
【請求項５】
前記従動羽根は、前記従動羽根を回動可能に支持する回転軸の両側に、対称となる羽根体を備えていることを特徴とする請求項４に記載の圧力調整機能を有するダンパー装置。
【請求項６】
前記付室と前記隣接室とを区画し、請求項１から５のいずれか一項に記載の圧力調整機能を有するダンパー装置を備えていることを特徴とする防火扉。
【請求項７】
互いに面積の異なる複数枚の扉体から構成され、前記圧力調整機能を有するダンパー装置は、面積が小さな前記扉体に設けられていることを特徴とする請求項６に記載の防火扉。
【発明の詳細な説明】
【技術分野】
【０００１】
本発明は、特別避難階段に隣接する付室または非常用エレベータ乗降ロビー兼用の付室と、例えば廊下等の隣接室との間の防火区画に設けられる圧力調整機能を有するダンパー装置、および圧力調整機能を有するダンパー装置を備えた防火扉に関する。
【背景技術】
【０００２】
各種の建物において、火災発生時における避難経路を確保するため、特別避難階段や非常用エレベータと、例えば廊下等の隣接室との間には、付室が設けられている。ここで、非常用エレベータの場合、付室は、非常用エレベータ乗降用ロビーを兼ねる。廊下等の隣接室に面した室内で火災が発生した場合、外気から付室にファン等により空気を送り込んで加圧することによって、付室内の圧力を廊下の圧力よりも高め、火災室から廊下に漏れ出た煙が付室内に入り込むのを防いでいる。
また、付室と廊下との間には防火扉が設けられ、火災発生時には、この防火扉を開き、廊下から付室を経て特別避難階段や非常用エレベータを用いて避難する。
【０００３】
防火扉は、避難者の避難方向に合わせ、廊下側から付室側に開くようになっている。避難の際には、前述したように付室内の圧力が廊下の圧力よりも高いため、その差圧によって、防火扉を廊下側に押し付ける圧力が作用している。その結果、付室と廊下との差圧が過大であると、防火扉を開くのに大きな力が必要となり、防火扉が開き難くなる。
【０００４】
そこで、付室と廊下との差圧が過大とならないようするため、付室に給気するファンの風量を制御したり、付室において廊下に面する壁に差圧ダンパーを設置して供給した空気の一部を廊下側に逃がすことが行われている。
しかし、前者の方法では、付室と廊下との差圧をセンサーで検出してファンの作動を制御しなければならないため、その制御システムが複雑なものとなってしまう。後者の方法では、差圧ダンパーの設置スペースの確保が必要であったり、差圧ダンパーの重量を支持するために壁の補強が必要となる。
【０００５】
これに対し、特許文献１には、扉に、開閉可能なダンパーと、ダンパーを開閉操作するパニックバーとを備えた構成が開示されている。この構成においては、パニックバーを下方に押し下げることによって、ダンパーが開いて扉に開口部が形成される。この開口部を通して付室側から廊下側に空気が流出することによって、付室側と廊下側との差圧を小さくし、防火扉を容易に開くことが可能となる。
このような構成を採用することによって、付室と廊下との差圧を検出して制御を行う複雑なシステムが不要となる。また、防火扉にダンパーを備えるので、壁に設置する必要も無い。
【先行技術文献】
【特許文献】
【０００６】
【特許文献１】特開平８−９３３４６号公報
【発明の概要】
【発明が解決しようとする課題】
【０００７】
しかしながら、上記したような特許文献１に記載の構成においては、ダンパーを開いて防火扉を開くまでの間、付室内は廊下よりも高い圧力になってしまう。
したがって、付室を構成する壁や天井を、高い圧力に耐えうるように構成しなければならず、付室を構成する部材コストや施工コストが高くなってしまう。また、付室に面して非常用エレベータが設けられている場合、付室の圧力が高くなると、非常用エレベータの扉にも過剰な圧力がかかるため、開閉扉がスライドしにくくなってしまう。
【０００８】
また、特許文献１に記載の構成では、パニックバーを押し下げる操作が不十分であれば、開口部が全開状態とならず、付室と廊下との差圧を十分に小さくすることができないことがある。すると、防火扉を開くのが困難になってしまう。
【０００９】
そこでなされた本発明の目的は、簡易な構成でありながら、付室内の圧力が過度に高くなるのを抑え、確実かつ容易に防火扉を開くことのできる圧力調整機能を有するダンパー装置、および圧力調整機能を有するダンパー装置を備えた防火扉を提供することである。
【課題を解決するための手段】
【００１０】
本発明は、上記課題を解決するため、以下の手段を採用する。
すなわち、本発明は、付室と、前記付室に隣接する隣接室との間に設けられる圧力調整機能を有するダンパー装置であって、前記付室と前記隣接室との差圧によって開閉する開閉羽根と、前記開閉羽根に連結された連結部材と、前記開閉羽根に前記連結部材を介して連結され、前記開閉羽根の開閉に連動して開閉駆動される従動羽根と、を備えることを特徴とする。
このような構成によれば、火災発生時に、付室を構成する特別避難階段や非常用エレベータの付室の圧力が高められると、付室の外部である廊下等の隣接室との間で差圧が生じる。この差圧が大きくなると、開閉羽根が押圧されて、開閉羽根が開く。すると、開閉羽根が開く動作が、連結部材を介して従動羽根に伝達され、従動羽根が、開閉羽根に連動して開く。また、差圧が小さくなれば、開閉羽根が閉じる方向に回動し、これに連動して従動羽根が閉じる。
このようにして、モーターや、制御部を用いることなく、簡易な構成で開閉するダンパー装置を構成することができる。
そして、このようなダンパー装置の開閉羽根および従動羽根を開くことで、付室と隣接室との差圧を下げ、付室内の圧力が過度に高くなるのを抑えることができる。
【００１１】
前記開閉羽根は、前記付室と前記隣接室との差圧による圧力に抗する方向の抵抗力を付与するトルク調整機構を備えているようにしてもよい。
このような構成によれば、付室と隣接室との差圧によって開閉羽根に作用する回転モーメントが、トルク調整機構が付与する抵抗力によって開閉羽根に作用する回転モーメントよりも大きくなると、開閉羽根が開く。このようにして、開閉羽根および従動羽根が開くタイミング（圧力）を設定することができる。
【００１２】
前記付室内の圧力が予め定めた設定圧力に到達したときに、前記従動羽根が全開状態となるよう、前記トルク調整機構の前記抵抗力が設定されているようにしてもよい。
これにより、付室内の圧力が設定圧力に到達したときに、従動羽根を全開状態とすることで、付室から隣接室への通気量を有効に確保することができる。
【００１３】
前記開閉羽根から延びる第一の連結アームと前記連結部材とが、ピン接続により回動自在に連結されるとともに、第二の連結アームの両端に前記従動羽根と前記連結部材とがそれぞれピン接続により回動自在に連結され、前記付室内の圧力が予め定めた設定圧力に到達したときに、前記従動羽根が全開状態となるようにしてもよい。
このような構成によって従動羽根が開閉羽根と連動して開き、付室内の圧力が高まって設定圧力に到達したときに、従動羽根が全開状態となる。
【００１４】
前記開閉羽根および前記従動羽根は、鉛直方向に延びる回転軸周りに回動可能に設けられているようにしてもよい。
回転軸を水平方向に延びるように設けた場合、開閉羽根や従動羽根の自重が回転軸に作用するため、開閉羽根及び従動羽根の回動動作が重くなる。これに対し、回転軸を鉛直方向に延びるように設けることで、開閉羽根および従動羽根はその下端部において荷重が支持される。これにより、開閉羽根及び従動羽根の回動動作を軽くし、付室と隣接室との差圧によって確実に開閉させることができる。
【００１５】
前記従動羽根は、前記従動羽根を回動可能に支持する回転軸の両側に、対称となる羽根体を備えているようにしてもよい。
このようにすると、従動羽根に、付室と隣接室との差圧が作用しても、回転軸の一方の側の羽根体と、回転軸の他方の側の羽根体に、それぞれ差圧が作用するため、この差圧によって従動羽根を回動させる力は生じない。これにより、従動羽根は、開閉羽根の回動動作に確実に連動して回動する。
【００１６】
本発明の防火扉は、前記付室と前記隣接室とを区画し、上記のような圧力調整機能を有するダンパー装置を備えていることを特徴とする。
上記のような圧力調整機能を有するダンパー装置を防火扉に備えることで、ダンパー装置を防火扉とは別に設ける必要がない。ダンパー装置を防火扉と別に設ける場合、その設置スペースが必要となるほか、ダンパー装置の重量を支持するために、ダンパー装置を設ける壁等を補強する必要がある。しかし、圧力調整機能を有するダンパー装置を防火扉に設ければ、設置スペースや補強も不要となる。
【００１７】
また、本発明の防火扉は、互いに面積の異なる複数枚の扉体から構成され、前記ダンパー装置は、面積が小さな前記扉体に設けられているようにしてもよい。
このように、面積が小さな扉体にダンパー装置を設ければ、面積が大きな扉体を軽くすることができ、この大きな扉体を容易に開くことができる。これにより、避難者が大きな扉体を開いて容易に避難することが可能となる。
【発明の効果】
【００１８】
本発明によれば、簡易な構成でありながら、付室内の圧力が過度に高くなるのを抑え、確実かつ容易に防火扉を開くことが可能となる。
【図面の簡単な説明】
【００１９】
【図１】本実施形態に係る圧力調整機能を有するダンパー装置を備えた防火扉が建物内に配置された状況を示す平面図である。
【図２】防火扉の正面図である。
【図３】防火扉に備えたダンパー装置を示す図であり、ダンパー装置の全閉状態を示す平断面図である。
【図４】防火扉に備えたダンパー装置を示す図であり、ダンパー装置の全開状態を示す平断面図である。
【発明を実施するための形態】
【００２０】
以下、添付図面を参照して、本発明による圧力調整機能を有するダンパー装置、および圧力調整機能を有するダンパー装置を備えた防火扉を実施するための形態について、図面に基づいて説明する。
図１は、本実施形態に係る圧力調整機能を有するダンパー装置を備えた防火扉が建物内に配置された状況を示す平面図である。図２は、防火扉の正面図である。図３は、防火扉に備えたダンパー装置を示す図であり、ダンパー装置の全閉状態を示す平断面図である。図４は、防火扉に備えたダンパー装置を示す図であり、ダンパー装置の全開状態を示す平断面図である。
図１に示すように、防火扉１０は、複数の室１が面した廊下等の隣接室２と、付室３との間に、これら隣接室２と付室３とを区画するように設けられている。
ここで、付室３には、特別避難階段４と、非常用エレベータ５とが設けられている。
また、付室３には、給気ファン（図示無し）にダクト（図示無し）を通じて接続された給気口６が設けられており、給気口６を通じて外気を付室３内に取り込むことができるようになっている。
【００２１】
図１、図２に示すように、防火扉１０は、親扉（扉体）１１と、子扉（扉体）１２と、を備えている。これら親扉１１と子扉１２は、横方向に並設され、親扉１１の一方の側端部１１ａと子扉１２の一方の側端部１２ａとが互いに突き合わされて設けられている。親扉１１の他方の側端部１１ｂと、子扉１２の他方の側端部１２ｂとは、ヒンジ（図示無し）を介して、それぞれ鉛直軸周りに回動自在に支持されている。これにより、親扉１１と子扉１２とは、いわゆる観音開きに開閉可能とされている。
【００２２】
親扉１１は、子扉１２よりも幅寸法が大きく、避難者は、主に親扉１１を開くことで、避難経路を確保する。
【００２３】
図３に示すように、子扉１２には、ダンパー装置２０が備えられている。このダンパー装置２０は、子扉１２の一方の幅方向に沿って並べて設けられた複数の羽根２１と、複数の羽根２１を連結する連結部材２２と、トルク調整機構２３と、を備えている。
このダンパー装置２０は、子扉１２の外周部を形成する外枠部１３の内側に設けられている。さらに、ダンパー装置２０を構成するこれら羽根２１、連結部材２２、トルク調整機構２３は、子扉１２において、隣接室２に面する側と、付室３に面する側とが、それぞれ通気カバー１７により覆われている。通気カバー１７は、指が入らない程度の大きさのスリットや孔、開口部等が多数形成され、通気性を確保しつつ、指がダンパー装置２０に触れないようになっている。この通気カバー１７は、外周部が外枠部１３に固定されて設けられている。
【００２４】
これら複数の羽根２１のうち、例えば子扉１２の一方の側端部１２ａ側に設けられた羽根（回転羽根）２１Ａは、鉛直方向に同一の羽根断面形状が連続して形成されている。この羽根２１Ａは、鉛直方向に延びる回転軸２４周りに回動自在に設けられている。羽根２１Ａは、回転軸２４側から水平方向に沿って延びる羽根部（羽根体）２５を一体に備えている。
【００２５】
羽根２１Ａの回転軸２４には、トルク調整機構２３が連結されている。トルク調整機構２３は、油圧ダンパー、バネ等からなり、回転軸２４が一方の回転方向に回転するときに、その反対向きの回転方向の抵抗力を発揮する。トルク調整機構２３は、後述するように羽根２１Ａが開く方向に回転したときに、羽根２１Ａをその反対向きに閉じる方向に付勢する。
【００２６】
複数の羽根２１のうち、羽根２１Ａ以外の羽根（従動羽根）２１Ｂは、それぞれ、鉛直方向に延びる回転軸２７周りに回動自在に設けられている。各羽根２１Ｂは、上下方向に同一の羽根断面形状が連続しており、回転軸２７側から水平方向両側に沿ってそれぞれ延びる羽根部（羽根体）２８を備えている。
【００２７】
羽根２１Ａと、他の羽根２１Ｂとは、以下のようにして、連結部材２２を介して連結されている。
羽根２１Ａの先端羽根部２６の根元には、連結部材２２に向けて延びる連結アーム３０が固定されている。連結アーム３０の先端部は、連結部材２２に対してピン３１を介して回動自在に連結されている。
各羽根２１Ｂにおいて、羽根２１Ａから離れた側の羽根部２８の端部には、連結アーム３２の一端がピン３３を介して回動自在に連結されている。連結アーム３２の他端はピン３４を介して連結部材２２に回動自在に連結されている。連結部材２２は、子扉１２の幅方向に延び、複数の羽根２１Ｂが、水平方向に間隔をあけて連結アーム３２を介して連結されている。
【００２８】
図４に示すように、羽根２１Ａが回転軸２４周りに回動すると、羽根２１Ａと一体に設けられた連結アーム３０が回転軸２４を中心として旋回し、これによって、連結アーム３０に回動自在に連結された連結部材２２がほぼ平行移動する。この連結部材２２の移動により、連結部材２２にそれぞれ連結アーム３２を介して回動自在に連結された羽根２１Ｂの羽根部２８が引っ張られ、それぞれの羽根２１Ｂが回転軸２７周りに回動する。
【００２９】
このようにして、羽根２１Ａの回動に連動し、他の複数の羽根２１Ｂが回動することによって、ダンパー装置２０が開閉する。このとき、図３に示すように、ダンパー装置２０が閉状態にあるときには、羽根２１Ａの先端羽根部２６と隣接する羽根２１Ｂの羽根部２８の先端部、互いに隣接する羽根２１Ｂ，２１Ｂの羽根部２８の先端部どうしが、それぞれ近接することによって、子扉１２の一方の側（隣接室２側）と他方の側（付室３側）とが区画される。これにより、隣接室２側と付室３側との差圧が維持され、付室３への煙の侵入が防止される。
また、図４に示すように、ダンパー装置２０が開状態にあるときには、羽根２１Ａは、閉状態の位置から隣接室２側に回転する。羽根２１Ａが開放状態となったときに、連結部材２２を介して連動する他の羽根２１Ｂは、それぞれ、一方の羽根部２８の先端部が隣接室２側に位置し、他方の羽根部２８の先端部が付室３側に位置して全開状態となる。
そして、羽根２１Ａは、トルク調整機構２３によって、ある角度を保持して釣り合い状態となる。この釣り合い状態において、羽根２１Ａに対して連結部材２２、連結アーム３０、３２を介して連結された羽根２１Ｂが、羽根２１Ａに連動して全開状態となることで、ダンパー装置２０における開口面積を広く取ることが可能となる。
【００３０】
このような防火扉１０は、通常時においては、親扉１１と子扉１２とが閉じ、隣接室２側と付室３側とを区画している。防火扉１０を、通常において開いている場合には、煙感知器や熱感知器を通じて火災発生を火災検知システムが検知した際、親扉１１と子扉１２とを閉じるようになっている。
また、ダンパー装置２０は、通常時においては、図３に示すように、羽根２１Ａおよび他の羽根２１Ｂが全閉状態とされ、隣接室２側と付室３側とを区画している。
【００３１】
図１に示すように、煙感知器や熱感知器の作動により火災が発生したことを火災検知システムが感知すると、給気ファンに接続されたダクトを通じて給気口６から付室３に外気を送り込む。すると、付室３内が加圧され、隣接室２側と付室３側との間に差圧が生じる。図４に示すように、この差圧により、ダンパー装置２０の羽根２１Ａには、付室３側から隣接室２側に向かう圧力Ｐ１が作用する。この圧力Ｐ１により、羽根２１Ａには、隣接室２側に向けて羽根２１Ａを開こうとするモーメントが作用する。羽根２１Ａには、トルク調整機構２３により、閉じる方向に付勢する抵抗力Ｒ１が作用する。この抵抗力Ｒ１による羽根２１Ａを閉じる方向のモーメントが、羽根２１Ａを開こうとするモーメントを超えない限り、羽根２１Ａは閉じたままの状態を維持する。
なお、この状態で、他の羽根２１Ｂは、回転軸２７を挟んで一方の側の羽根部２８と他方の側の羽根部２８とに、それぞれ隣接室２側と付室３側との差圧による圧力Ｐ１が作用する。したがって、他の羽根２１Ｂには、これを回動させる力は生じない。
このようにして、ダンパー装置２０が全閉状態にあることによって、隣接室２側と付室３側との差圧が維持され、付室３への煙の侵入が防止される。
【００３２】
図４に示すように、隣接室２側と付室３側との間の差圧が大きくなり、羽根２１Ａに作用する付室３側から隣接室２側に向かう圧力Ｐ１によるモーメントが、トルク調整機構２３の抵抗力Ｒ１によるモーメントが大きくなると、羽根２１Ａが開く方向に回動する。ここで、隣接室２側と付室３側との間の差圧が、第一設定圧力（例えば３０Ｐａ）を超えたときに、羽根２１Ａが開きはじめるよう、トルク調整機構２３の抵抗力Ｒ１を設定するのが好ましい。
すると、羽根２１Ａによって移動する連結部材２２により、他の羽根２１Ｂが回転軸２７周りに開く方向に回動する。
【００３３】
さらに付室３内の圧力が高まり、予め設定した第二設定圧力（例えば５０Ｐａ）に到達すると、羽根２１Ａが、所定角度まで開き、羽根２１Ｂが全開状態となるよう、トルク調整機構２３の抵抗力Ｒ１を設定するのが好ましい。
【００３４】
このようにして、ダンパー装置２０が開口し、付室３側から隣接室２側に空気が流れ込み、付室３と隣接室２側との差圧が抑制される。これにより、親扉１１および子扉１２を容易に開くことが可能となる。
【００３５】
なお、上記のように羽根２１Ａおよび羽根２１Ｂが開くとき、羽根２１Ａに作用する差圧によって生じる圧力Ｐ１によるモーメントと、トルク調整機構２３の抵抗力Ｒ１によるモーメントとがバランスすると、羽根２１Ａおよび羽根２１Ｂの開く動作が止まる。そして、その状態から羽根２１Ａに作用する差圧が上下すると、モーメントの大小関係に応じて、羽根２１Ａ、２１Ｂがさらに開く方向、または閉じる方向に回動する。
【００３６】
上述したように、ダンパー装置２０は、付室３と隣接室２との差圧によって開閉する羽根２１Ａと、羽根２１Ａに連結された連結部材２２と、羽根２１Ａに連結部材２２を介して連結され、羽根２１Ａの開閉に連動して開閉駆動される羽根２１Ｂと、を備える。
このような構成によれば、モーターや、制御部を用いることなく、簡易な構成で開閉するダンパー装置２０を構成することができる。
そして、このようなダンパー装置２０の羽根２１Ａおよび羽根２１Ｂは、防火扉１０の開閉動作にかかわらず、付室３の圧力に応じて自動的に開閉し、付室３の圧力が過度に高くなるのを抑えることができる。これにより、簡易な構成でありながら、付室３内の強度を特に高める必要も無く、付室３内の圧力が過度に高くなるのを抑え、確実かつ容易に防火扉１０を開くことが可能となる。
【００３７】
また、羽根２１Ａは、付室３と隣接室２との差圧による圧力Ｐ１に抗する方向の抵抗力Ｒ１を付与するトルク調整機構２３を備えている。これにより、付室３と隣接室２との差圧によって羽根２１Ａに作用するモーメントが、トルク調整機構２３が付与する抵抗力Ｒ１によって羽根２１Ａに作用するモーメントよりも大きくなると、羽根２１Ａが開く。このようにして、羽根２１Ａおよび羽根２１Ｂが開くタイミング（圧力）を設定することができる。
そして、付室３内の圧力が予め設定した第一設定圧力（例えば３０Ｐａ）に到達したら羽根２１Ａが開きはじめ、第二設定圧力に到達したら、羽根２１Ａおよび羽根２１Ｂが全開状態となる。このようにして、ダンパー装置２０を所定の圧力で確実に開くように設定することができる。
【００３８】
付室３内の圧力が予め定めた第二設定圧力に到達したときに、羽根２１Ｂが全開状態となるよう、トルク調整機構２３の抵抗力が設定されている。
これにより、付室３内の圧力が過度に高くなるのを確実に防止することができる。また、羽根２１Ｂを確実に全開状態とすることで、所要の通気量を確保しつつ、ダンパー装置２０の面積を小さく抑えることができる。
【００３９】
また、羽根２１Ａおよび羽根２１Ｂは、鉛直方向に延びる回転軸２４，２７周りに回動可能に設けられている。回転軸２４，２７を水平方向に延びるように設けた場合、羽根２１Ａや羽根２１Ｂの自重が回転軸２４，２７に作用するため、羽根２１Ａ及び羽根２１Ｂの回動動作が重くなる。これに対し、回転軸２４，２７を鉛直方向に延びるように設けることで、羽根２１Ａおよび羽根２１Ｂはその下端部において荷重が支持される。これにより、羽根２１Ａ及び羽根２１Ｂの回動動作を軽くし、付室３と隣接室２との差圧によって確実に開閉させることができる。
【００４０】
さらに、羽根２１Ｂは、回転軸２７の両側に対称となる羽根部２８を備えている。このようにすると、羽根２１Ｂに、付室３と隣接室２との差圧が作用しても、回転軸２７の一方の側の羽根部２８と、回転軸２７の他方の側の羽根部２８に、それぞれ差圧が作用するため、この差圧によって羽根２１Ｂを回動させる力は生じない。これにより、羽根２１Ｂは、羽根２１Ａの回動動作に確実に連動して回動する。
【００４１】
さらに、上述した防火扉１０は、付室３と隣接室２とを区画し、上記したようなダンパー装置２０を備えている。これにより、ダンパー装置２０を防火扉１０とは別に設ける必要がない。ダンパー装置２０を防火扉１０と別に設ける場合、その設置スペースが必要となるほか、ダンパー装置２０の重量を支持するために、ダンパー装置２０を設ける壁等を補強する必要がある。しかし、ダンパー装置２０を防火扉１０に設ければ、設置スペースや補強も不要となる。
【００４２】
また、防火扉１０は、互いに面積の異なる親扉１１と子扉１２とから構成され、ダンパー装置２０は、面積が小さな子扉１２に設けられている。このように、面積が小さな子扉１２にダンパー装置２０を設ければ、面積が大きな親扉１１を軽くすることができ、この大きな親扉１１を容易に開くことができる。これにより、避難者が大きな親扉１１を開いて容易に避難することが可能となる。
【００４３】
（その他の実施形態）
なお、本発明の圧力調整機能を有するダンパー装置、および圧力調整機能を有するダンパー装置を備えた防火扉は、図面を参照して説明した上述の実施形態に限定されるものではなく、その技術的範囲において様々な変形例が考えられる。
例えば、ダンパー装置２０を構成する羽根２１Ｂの枚数については何ら限定するものではない。また、トルク調整機構２３を備えた羽根２１Ａと、羽根２１Ａに連結部材２２を介して連結された羽根２１Ｂとを、複数組み備えるようにしてもよい。
【００４４】
また、羽根２１Ａ，２０Ｂを、鉛直方向に延びる回転軸２４，２７周りに回動可能に設けたが、水平軸周りに回動するようにすることも可能である。
【００４５】
また、防火扉１０は、親扉１１と子扉１２とを備えるようにしたが、３枚以上の扉体を備える構成としても良い。その場合も、面積が最も小さな扉体にダンパー装置２０を備えるのが好ましい。
さらに、ダンパー装置２０は、防火扉１０以外の壁に設けることも可能である。
また、ダンパー装置２０を設置する場所として取り上げた付室３は、建築基準法で定められた付室に限定されず、加圧された室としてもよい。
これ以外にも、本発明の主旨を逸脱しない限り、上記実施の形態で挙げた構成を取捨選択したり、他の構成に適宜変更したりすることが可能である。
【符号の説明】
【００４６】
１  室
２  隣接室
３  付室
４  特別避難階段
５  非常用エレベータ
１０  防火扉
１１  親扉（扉体）
１２  子扉（扉体）
２０  ダンパー装置
２１  羽根
２１Ａ  羽根（回転羽根）
２１Ｂ  羽根（従動羽根）
２２  連結部材
２３  トルク調整機構
２４、２７  回転軸
２６  先端羽根部
２５、２８  羽根部（羽根体）
３０  連結アーム
３１  ピン
３２  連結アーム
３３，３４  ピン
【図１】
0006475951.tif 000002
【図２】
0006475951.tif 000003
【図３】
0006475951.tif 000004
【図４】
0006475951.tif 000005